(57)【要約】  パッケージが開示され、このパッケージは、パッケージを開けた際にタバコ産業製品を取り出すための取り出し開口部を画定するセクションを含むバリアー層に包まれた一群のタバコ産業製品を収容する基部を含む。このパッケージは開閉位置間で回転するために基部に貼り付けられ、内面を有する蓋前壁と、この前壁に対して折り曲げられている蓋前壁フラップとを含む蓋を有する。ラベルが前記セクションに貼り付けられ、蓋に貼り付けられる部分を有し、蓋を開いた位置に回転させると、そのセクションが持ち上げられ、取り出し開口部を開くようにする。蓋前壁フラップがラベルの前記部分が蓋前壁フラップではなく蓋前壁の内面に貼り付けられるような形を有する。
2021511267.tif 000002
【特許請求の範囲】
【請求項１】
パッケージであって、
パッケージを開けた際にタバコ産業製品を取り出すための取り出し開口部を画定するセクションを含むバリアー層に包まれた一群のタバコ産業製品を収容する基部と、
開閉位置間で回転するために基部に貼り付けられ、内面を有する蓋前壁と、この前壁に対して折り曲げられている蓋前壁フラップとを含む蓋と、
前記セクションに貼り付けられ、蓋に貼り付けられる部分を有し、蓋を開いた位置に回転させると、そのセクションが持ち上げられ、取り出し開口部を開くようにするラベルとを含み、
蓋前壁フラップがラベルの前記部分が蓋前壁フラップではなく蓋前壁の内面に貼り付けられるような形を有するパッケージ。
【請求項２】
蓋は蓋前壁によって隔てられた対向側壁を含み、蓋に貼り付けられるラベルの部分は、対向側壁の間を延びる蓋前壁の幅より小さい幅のタブを含むことを特徴とする請求項１記載のパッケージ。
【請求項３】
タブは蓋前壁フラップに少なくとも部分的に囲まれることを特徴とする請求項２記載のパッケージ。
【請求項４】
タブは蓋前壁フラップの一部がタブと各対向側壁の間を延びるように蓋前壁の内面に貼り付けられることを特徴とする請求項３記載のパッケージ。
【請求項５】
タブは蓋前壁フラップに完全に囲まれることを特徴とする請求項４記載のパッケージ。
【請求項６】
蓋前壁フラップに開口部を含み、ラベルの前記部分がこの開口部を介して蓋前壁の内面に貼り付けられることを特徴とする請求項５記載のパッケージ。
【請求項７】
蓋前壁フラップの縁部から延びた凹部を含み、タブはこの凹部内に受けられ、蓋前壁の内面に貼り付けられることを特徴とする請求項３記載のパッケージ。
【請求項８】
蓋前壁フラップの一部がタブと各対向側壁の間で延びるようにタブが凹部内に受けられ、蓋前壁の内面に貼り付けられることを特徴とするを請求項７記載のパッケージ。
【請求項９】
タブの一部が蓋前壁フラップと各対向側壁の間で延びるようにタブが凹部内に受けられ、蓋前壁の内面に貼り付けられることを特徴とするを請求項７記載のパッケージ。
【請求項１０】
タブは折り曲げ線によってラベルの残りの部分から隔てられていることを特徴とする請求項２乃至９いずれか１項記載のパッケージ。
【請求項１１】
基部と蓋は金属化された表面層を有する板材シートから形成されることを特徴とする請求項１乃至１０いずれか１項記載のパッケージ。
【請求項１２】
板材の反対の面は金属化された表面層を持たず、ラベルが貼り付けられる蓋前壁の内面は反対の面であることを特徴とする請求項１１記載のパッケージ。
【請求項１３】
ラベルは前記セクションに貼り付けられた内面と、タブによって形成され蓋に貼り付けられる外面とを含むことを特徴とする請求項２乃至１２いずれか１項記載のパッケージ。
【請求項１４】
パッケージであって、
パッケージを開けた際に束からタバコ産業製品を取り出すための取り出し開口部を画定するセクションを含むバリアー層に包まれた一群のタバコ産業製品を収容する基部と、
開閉位置間で回転するために基部に貼り付けられた蓋であって、内面を有する蓋前壁と、前後面を有する蓋前壁フラップとを含み、この蓋前壁フラップは蓋前壁に対して蓋前壁の下方縁部に沿って延びた折り目で折り曲げられ、前記折り目から延びた第１部分を含み、この第１部分によって形成された蓋前壁フラップの後面は蓋前壁の前記内面に貼り付けられ、蓋前壁フラップは第１部分の縁部から延びた第２部分を含み、この第２部分によって形成された蓋前壁フラップの後面を露出させるために第１部分に対して折りたたまれる蓋と、
前記セクションに貼り付けられ、蓋に貼り付けられる部分を有し、蓋を開いた位置に回転させると、そのセクションが持ち上げられ、取り出し開口部を開くようにするラベルとを含み、
蓋に貼り付けられたラベルの部分が第２部分によって形成された蓋前壁フラップの後面に貼り付けられるパッケージ。
【請求項１５】
蓋前壁フラップの第１および第２部分は互いに取り外し自在または永久的に貼り付けられていることを特徴とする請求項１４記載のパッケージ。
【請求項１６】
蓋前壁フラップが折り目を中心に第１部分に対して回転するための第１部分から延びた中間部分を含み、第２部分は別の折り目を中心にこの中間部分に対して回転するために中間部分から延びていることを特徴とする請求項１４または１５記載のパッケージ。
【請求項１７】
基部と蓋は金属化された表面層を有する板材のシートから形成されることを特徴とする請求項１４乃至１６いずれか１項記載のパッケージ。
【請求項１８】
板材の反対の面は金属化された表面層を持たず、ラベルの前記部分が貼り付けられる第２部分によって形成された蓋前壁フラップの後面は前記反対の面であることを特徴とする請求項１７記載のパッケージ。
【請求項１９】
蓋前壁フラップは蓋前壁の内面に貼り付けられたラベルの前記部分に亘って延びていることを特徴とする請求項１記載のパッケージ。
【請求項２０】
蓋前壁フラップはラベルの前記部分に貼り付けられることを特徴とする請求項１９記載のパッケージ。
【請求項２１】
蓋は蓋前壁によって隔てられた対向側壁を含み、蓋に貼り付けられたラベルの部分は、これら対向側壁の間を延びる蓋前壁フラップの幅より小さい幅を有するタブを含むことを特徴とする請求項１９または２０記載のパッケージ。
【請求項２２】
蓋前壁フラップはタブと蓋前壁に貼り付けられることを特徴とする請求項１９乃至２１いずれか１項記載のパッケージ。
【請求項２３】
ラベルは前記セクションを越えて延びる周辺部を含み、この周辺部は、その周辺部が蓋を開いた際にバリアー層から剥がされ、蓋を閉じた際にバリアー材を再封止するために元の位置に戻されるように繰り返し使用可能な接着剤でバリアー層に貼り付けられることを特徴とする請求項１乃至２２いずれか１項記載のパッケージ。
【請求項２４】
バリアー層は第１および第２の層を含むラミネート材から形成され、ラベルは第２の層から形成されることを特徴とする請求項２３記載のパッケージ。
【請求項２５】
ラベルは前記セクションに貼り付けられる内面を含み、ラベルの外面は蓋に貼り付けられることを特徴とする請求項１乃至２４いずれか１項記載のパッケージ。
【発明の詳細な説明】
【技術分野】
【０００１】
本発明は紙巻きタバコを含む喫煙品などのタバコ産業製品パッケージに関する。
【背景技術】
【０００２】
紙巻きタバコなどの喫煙品はパッケージに入れられて販売される。それらのパッケージは、基部、ヒンジ式蓋および基部から突出し、基部に貼り付けられ、蓋が閉じられると蓋内に収容される内部フレームを有するボール紙から作製される外方容器を含む。基部は一束の喫煙材を含む。喫煙品は、蓋を開けた際に消費者がパッケージから喫煙品を取り出しやすくするための取り出し開口部を有する可撓性のバリアー層に包まれている。
【０００３】
開口部はこれを覆って延びる可撓性のラベルによって閉じてもよい。そのラベルは、蓋を開いた位置に枢動させた際に取り出し開口部を露出させるために剥がされ、蓋が閉じた位置に回転させて戻された際に再度封止するように蓋に貼り付けられてもよい。蓋は多くは蓋の前壁の底縁部から延びたフラップを含み、これは底縁部で折り曲げられ、蓋前壁の内面に貼り付けられている。これにより蓋の前壁の底縁部までそしてその周囲まで印刷が可能になる。
【発明の概要】
【０００４】
本明細書で説明する一部の実施態様ではパッケージが提供され、このパッケージは、パッケージを開けた際にタバコ産業製品を取り出すための取り出し開口部を画定するセクションを含むバリアー層に包まれた一群のタバコ産業製品を収容する基部と、開閉位置間で回転するために基部に貼り付けられ、内面を有する蓋前壁とこの前壁に対して折り曲げられている蓋前壁フラップとを含む蓋と、前記セクションに貼り付けられ、蓋に貼り付けられる部分を有し、蓋を開いた位置に回転させると、その取り外し可能なセクションが持ち上げられ、取り出し開口部を開くようにするラベルとを含み、蓋前壁フラップがラベルの前記部分が蓋前壁フラップではなく蓋前壁の内面に貼り付けられるような形を有する。
【０００５】
蓋は蓋前壁によって隔てられた対向側壁を含み、蓋に貼り付けられたラベルの部分は、対向側壁の間を延びる蓋前壁の幅より小さい幅のタブを含む。
【０００６】
タブは蓋前壁フラップによって少なくとも部分的に囲まれてもよい。タブは蓋前壁フラップの一部がタブと各対向側壁の間を延びるように蓋前壁の内面に貼り付けることができる。
【０００７】
タブは蓋前壁フラップによって完全に囲まれてもよい。パッケージは蓋前壁フラップに開口部を含み、ラベルの前記部分がこの開口部を介して蓋前壁の内面に貼り付けられる。また当然のことながらパッケージは蓋前壁に一連の開口部を含んでもよく、この場合ラベルは各開口部を介して内面に貼り付けることができる。
【０００８】
パッケージは蓋前壁フラップの縁部から延びた凹部を含んでもよく、タブはこの凹部内に受けられ、蓋前壁の内面に貼り付けられる。タブは蓋前壁フラップの一部がタブと各対向側壁の間を延びるように蓋前壁の内面に貼り付けてもよい。
【０００９】
これとは別にタブの一部が蓋前壁フラップと各対向側壁の間で延びるようにタブが凹部内に受けられ、蓋前壁の内面に貼り付けられてもよい。
【００１０】
ラベルは前記セクションに貼り付けられた内面を含んでもよく、タブによって形成されたラベルの外面は蓋に貼り付けることができる。
【００１１】
タブは折り曲げ線によってラベルの残りの部分から隔てられてもよい。ラベルの内面は前記セクションにそして蓋にも貼り付けられてもよい。
【００１２】
パッケージの基部および蓋は一体に形成してもよく、それらは両方とも金属化されたまたは他の種類の表面層を有する板材のシートから形成されてもよい。板材の反対の面は金属化された表面層を有してなくてもよく、ラベルが貼り付けられる蓋前壁の内面はその反対の面である。
【００１３】
本明細書で説明する一部の実施態様ではパッケージが提供され、このパッケージは、パッケージを開けた際に束からタバコ産業製品を取り出すための取り出し開口部を画定するセクションを含むバリアー層に包まれた一群のタバコ産業製品を収容する基部と、開閉位置間で回転するために基部に貼り付けられた蓋であって、内面を有する蓋前壁と、前後面を有する蓋前壁フラップとを含み、この蓋前壁フラップは蓋前壁に対して蓋前壁の下方縁部に沿って延びた折り目で折り曲げられ、前記折り目から延びた第１部分を含み、この第１部分によって形成された蓋前壁フラップの後面は蓋前壁の前記内面に貼り付けられ、蓋前壁フラップは第１部分の縁部から延びた第２部分を含み、この第２部分によって形成された蓋前壁フラップの後面を露出させるために第１部分に対して折りたたまれる蓋と、前記セクションに貼り付けられ、蓋に貼り付けられる部分を有し、蓋を開いた位置に回転させると、そのセクションが持ち上げられ、取り出し開口部を開くようにするラベルとを含む。
【００１４】
蓋前壁フラップの第１および第２部分は互いに取り外し自在にまたは永久的に貼り付けられてもよい。
【００１５】
蓋前壁フラップが折り目を中心に第１部分に対して回転するための第１部分から延びた中間部分を含み、第２部分は別の折り目を中心にこの中間部分に対して回転するために中間部分から延びてもよい。
【００１６】
基部および蓋は表面が金属加工された板材のシートから形成してもよい。板材の反対の面は表面が金属加工されてなくてもよい。ラベルの一部が貼り付けられる第２部分によって形成される蓋前壁フラップの後面は反対の面であってもよい。
【００１７】
一部の実施態様では蓋前壁フラップは蓋前壁の内面に貼り付けられたラベルの前記部分に亘って延びてもよい。
【００１８】
蓋は蓋前壁によって隔てられた対向側壁を含んでもよく、蓋に貼り付けられたラベルの部分は、これら対向側壁の間を延びる蓋前壁フラップの幅より小さい幅を有するタブを含んでもよい。
【００１９】
蓋前壁フラップはタブと蓋前壁に貼り付けられてもよい。
【００２０】
ラベルは前記セクションを越えて延びる周辺部を含んでもよく、この周辺部は、その周辺部が蓋を開いた際にバリアー層から剥がされ、蓋を閉じた際にバリアー材を再封止するために元の位置に戻されるように繰り返し使用可能な接着剤でバリアー層に貼り付けられる。
【００２１】
基部と蓋は蓋前壁フラップの前面を含む１つの金属化された表面層を有する板材のシートから形成されてもよい。
【００２２】
バリアー層は第１および第２の層を含むラミネート材から形成されてもよく、ラベルは第２の層から形成される。
【００２３】
取り出し開口部を画定する領域は、前記ラベルに貼り付けられるバリアー層の一部になってもよい。
【００２４】
最初に開封する前に前記領域は蓋を最初に開けた際に破れる弱化された線によってバリアー層の残りの部分に貼り付けることができる。
【００２５】
ラベルは取り外し可能なセクションに貼り付けられる内面を含んでもよく、ラベルの外面は蓋に貼り付けられる。しかしながら、当然のことながらラベルはこれとは別に取り外し可能なセクションに貼り付けられた内面を含んでもよく、ラベルの内面は蓋に貼り付けられてもよい。
【００２６】
当然のことながらパッケージまたは蓋前壁フラップは、説明される実施態様からの特徴の任意の組み合わせをさらに含んでもよい。
【図面の簡単な説明】
【００２７】
添付図面を参照して本発明の実施態様をあくまで例示を目的として説明する。
【図１】パックの一例を示す斜視図であり、その中に収容された包装された束の喫煙品を露出させるために蓋が開いた位置にあり、取り出し開口部を覆うラベルが剥がされる前の状態を示している。
【図２】蓋が開いている本発明の実施態様によるパッケージの斜視図であり、蓋を開けたと同時に取り出し開口部を露出させるようにラベルが剥がされるようにラベルのタブの下方縁部が蓋の前壁の内面に貼り付けられている。
【図３】図３によるパッケージの上方部分の側部断面図であり、フラップが蓋の下方縁部から延び、蓋の内側で折り曲げられており、ラベルは蓋を開けたと同時に取り出し開口部を露出させるようにラベルが剥がされるように構成されている。
【図４】蓋が閉じている図３のパッケージの上方部分の側部断面図である。
【図５】本発明の第１の実施態様による図３のフラップの斜視図であり、これは開口部を含み、フラップが蓋の前壁の底縁部で折り曲げられる前の状態を示している。
【図６】フラップが蓋の前壁の底縁部で折り曲げられた後の図５のフラップの斜視図である。
【図７】本発明の第２の実施態様による図３のフラップの斜視図であり、輪郭形成された縁部を含み、フラップが蓋の前壁の底縁部で折り曲げられる前の状態を示している。
【図８】図７のフラップの斜視図であり、フラップが蓋の前壁の底縁部で折り曲げられた後の状態を示している。
【図９】本発明の第３の実施態様による図３のフラップの斜視図であり、フラップが蓋の前壁の底縁部で折り曲げられる前の状態を示している。
【図１０】図９のフラップの斜視図であり、フラップが蓋の前壁の底縁部で折り曲げられた後の状態を示している。
【図１１】第４の実施態様によるパッケージの上方部分の側部断面図であり、フラップが第２の折り目を含み、蓋が開けられた際にユーザーにさらなる部分を示す。
【図１２】図１１のパッケージの２つの例の上方部分を示し、フラップは第２の折り目と角の折り目を含む。
【図１３】本発明の第５の実施態様によるパッケージの上方部分の側部断面図であり、ラベルが蓋に接着され、フラップが少なくともラベルの一部に重なりながら接着されている。
【図１４】図３〜１０のいずれかのパッケージの上方部分の側部断面図であり、ラベルとバリアーが多層ラミネートで形成されている。
【図１５】平らにした際の図１４のラベルの平面図である。
【図１６Ａ】異なるラミネート材から作製されたラベルとバリアーの一部を断面にて示している。
【図１６Ｂ】異なるラミネート材から作製されたラベルとバリアーの一部を断面にて示している。
【発明を実施するための形態】
【００２８】
図１はヒンジ式蓋２および束５を形成するためにバリアー層４に包まれた一群の紙巻きタバコ３（図２参照）を含む基部２ａを有する硬質の板紙からなるパッケージ１の一例を示している。紙巻きタバコ３に触れられるようにするためにバリアー層の取り外し可能な領域４ａから形成された取り出し開口部の境界または縁部８は、束５の頂部を横断してバリアー層４の後ろ側から下方前方壁部にある取り出し開口縁部８ａの所まで前方を下方に延びた破線によって示されている。紙巻きタバコ３を包むバリアー層４は金属化プラスチックまたはプラスチックまたは金属箔ラミネートで作製したものであってもよい。取り出し開口縁部６に亘って位置しているのがラベル９であり、これはバリアー層４に近い方のその下側にラベル９を取り外し可能な領域４ａに確実に接着したままにするには充分な強度の繰り返し接着可能な接着剤を有する。繰り返し接着可能な接着剤はラベル９の下面を覆う。これとは別に永久接着剤をバリアー層４の縁部に重ならないラベル９の下面の部分、即ちバリアー層４の取り外し可能な領域４ａに重なる部分に塗布してもよい。しかしながら、ラベル９が取り出し開口縁部６の縁部８を越えて延びた所では下面に繰り返し接着可能な接着剤が塗布される。
【００２９】
確実に良好に接着されるように内部フレーム（図示せず）をそれがバリアー層４の下で紙巻きタバコ３の周囲を部分的に延びるように束５の中に設けてもよい。内部フレームは取り出し開口部６の周囲でラベル９によって掛かる再封止の際の圧力に対してバリアー層４の下で反応面を提供する。 
【００３０】
ラベル９は下方前方壁縁部１０を有し、その下方前方壁縁部１０から延びたタブ１１を含み、このタブは、取り出し開口部６を開口するためにラベル９を剥がすために使用されるように繰り返し接着可能な接着剤が少なくとも部分的に塗布されていない。
【００３１】
本発明による実施態様ではラベル９の最下方縁部またはタブ２５は、蓋２を開けたと同時に取り出し開口部６を露出させるためにラベルがめくられるように蓋２の前壁に貼り付けられる。特に図２に示すように蓋２が開いた位置にあるとき、バリアー層４の取り外し可能なセクション４ａは後ろに引っ張られ、取り出し開口縁部６を露出させ、消費者が簡単に束５から紙巻きタバコ３を取り出すことができるようにする。セクション４ａを「取り外し可能」としているが、当然のことながら取り出し開口縁部６を露出させた際にバリアー層の残りの部分に少なくとも部分的に貼り付いたままであってもよい。
【００３２】
蓋２とラベル９の同時に開くことができるようにするためにタブ２５によって形成されたラベルの外面の一部は、蓋２を開口位置に回転させる際にタブ２５がラベル９の残りの部分に対して折り返されるように永久接着剤を使用して蓋２に貼り付けられる（図３および１４参照）。
【００３３】
蓋２をその開いた位置にヒンジ３０を中心に枢動させると、ラベル９はタブ２５と蓋２の間の接続によって引っ張られる。その結果、ラベル９がバリアー層４から離れるようにめくられるまたは巻かれて、バリアー層４のセクション４ａはラベル９と共に取り出し開口部６から離れるように持ち上げられ、取り出し開口部が設けられる。パッケージ１が初めて開けられるなら、領域４ａも蓋２が開けられる際にバリアー層４の残りの部分からバリアー層４の残りの部分から領域４ａを分離する脆弱化された線に沿って分離させてもよい。
【００３４】
当然のことながら蓋２をその閉じた位置にヒンジ３０を中心に回転させて戻すと、ラベル９がバリアー層４を横断して巻き戻り、バリアー層４の取り外し可能な領域４ａが取り出し開口部６内の元の位置に戻る。ラベル９の周辺領域の繰り返し剥がすことができるコーティングによってパッケージ１を繰り返し封止するために取り出し開口部９を囲むバリアー層４に繰り返し接着する。
【００３５】
蓋は蓋の前壁３５の下方縁部３２から延びた蓋前壁フラップ３１を含む。蓋前壁フラップ３１は折り曲げ線３３を中心に実質的に１８０度折り曲げられ、蓋２の内方前面２４に接して位置する。蓋前壁フラップ３１は、折り曲げ線３３の反対に位置する第１縁部５０、第２側縁部５１および第３側縁部５２を有し、第２側縁部５１および第３側縁部５２は互いに平行に延びている。蓋２は外面４８と内面４９を有する。
【００３６】
蓋前壁フラップ３１の後面２８は、少なくとも部分的に蓋２の内面４９に蓋の内方の前面２４で永久的に接着され、蓋前壁フラップ３１の後面２８は、折り曲げられた際に蓋前壁３５の蓋の内方前面２４に接して内面４９上に位置する。この折り曲げられたフラップ３１によって折り曲げ線３３を中心にした蓋２の前壁の下方縁部３２までそしてその周囲まで印刷が可能になる。ラベル９のタブ２５は蓋前壁フラップ３１の前面３６に接着される。
【００３７】
蓋２および基部２ａを含むパッケージの構成に使用される材料の一部は、消費者に見える方の外面である金属化またはコーティングされた外側表面層を有してもよい。例えば、蓋と基部が作製される板材は、Ｔｒａｎｓｍｅｔ板であってもよく、これは板紙用のフィルム無しの金属ラミネートであり、明るい金属仕上げの基材に印刷受容コーティングを供する。ＴｒａｎｓｍｅｔラミネートはＡＰＩグループが製造している。金属化またはコーティングされた表面は、良好な接着を形成するために接着剤が材料に染みこむのを妨げることができる。当然のことながら蓋前壁フラップ３１を折り曲げた結果として、金属化された表面が蓋前壁フラップ３１の前面３６に亘って延びることになる。その結果、ラベル９は蓋前壁フラップ３１の前面３６に特に良好に接着しないかもしれない。これとは別に板材は、Ｍｅｔｐｏｌであってもよく、これはポリマー層でコーティングされた金属化層を有する。この材料は外部ポリマー層が非孔性であり、従って接着剤を吸収しないのでＴｒａｎｓｍｅｔ板と同じ問題を有する。
【００３８】
図５および６に示す本発明の第１の実施態様では、パッケージは蓋前壁フラップ３１を通る開口部３７を含むように変更されている。この開口部によって蓋前壁フラップ３１が上述のように折り曲げられ、内面４９に接着されると蓋の内方の前面２４の内面４９のある領域が確実に露出したままになる。開口部３７によって露出される内面の領域４９を露出内面３８とする。ラベル９は蓋前壁フラップ３１の前面３６に向いて蓋２の露出内面３８に接着され、これにより良好な接着を形成する。
【００３９】
当然のことながらフラップを複数の開口部３７を含むようにすることも可能である。この複数の開口部は内面４９の複数の領域３８を露出させることができる。これら開口部はフラップ横断して軸方向に整列させてもよく、等間隔に配置されてもよくまたはランダムに配置されてもよく、ラベル９は蓋の内方の前面２４の内面４９に亘る露出内面３８の領域に接着される。１つ以上の開口部３７を複数の異なる形状にしてラベル９の一部が開口部３７によって露出された内面４９の領域に確実に貼り付けられるようにすることも予想される。単独の開口部３７が設けられている場合、側縁部５１、５２の間の真ん中に配置してもよい。
【００４０】
本発明の第２の実施態様では上述のようなパッケージが提供され、ここでは同じような特徴は同じ参照番号のまま示している。図７および８を参照するとこのパッケージは蓋前壁フラップ３１に輪郭形成された縁部４１を含むように変更されており、蓋前壁フラップの一部が切り取られ、凹部４０を形成している。これにより蓋前壁３５の内面４９の一部はフラップが上述のように折り曲げられ、接着されると露出内面３８になる。
【００４１】
凹部４０は蓋前壁フラップ３１の一部を取り除くことによって形成することができる。この凹部は側縁部５１、５２の間の真ん中に配置してもよい。これとは別に凹部４０はオフセットしてもよく、あるいは１つ以上の凹部があってもよく、これら第２および第３側縁部５１、５２から蓋前壁フラップ３１内に延びてもよい。
【００４２】
蓋前壁フラップ３１は、第１縁部５０に沿って複数の凹部４０を含んでもよく、あるいは第２縁部５１および第３縁部５２の一方または両方に少なくとも１つの凹部を含んでもよい。
【００４３】
本発明の第３の実施態様を図９および１０を参照して説明する。この実施態様ではパッケージ１は変更され、蓋前壁フラップ３１に折り目４２によって分けられている第１および第２部分３１ａ、３１ｂが設けられている。第１部分３１ａは、折り曲げ線３３から折り目４２へと延び、第２部分は折り目４２から延びている。第２部分３１ｂは、折り目４２を中心に第１部分３１ａに対して折り曲げられる。第１部分３１ａの後面は、蓋２の内方の前面２４の内面４９に接着される。第２部分３１ｂを折り曲げることによってラベル９が貼り付けられる第２部分３１ｂによって形成された内面を露出させる。第２部分の前面は接着剤を使用して第１部分の前面に貼り付けてもよい。
【００４４】
折り目４２は、第１および第２部分３１ａ、３１ｂが同じ大きさになるように第１縁部５０と折り曲げ線３３の実質的に中間に配置することができる。しかしながら、折り目４２は第１および第２部分３１ａ、３１ｂが異なる大きさになるように配置してもよい。折り目４２は折り曲げ線３３対して実質的に平行である。しかしながら折り目４２を折り曲げ線３３に対して平行であることは必須ではなく、例えばフラップ３１は、内面３８の領域を露出させるために第１部分から延びた２つの三角形状の第２部分を形成するために折り曲げられた角を有してもよい。これらの角は第１縁部５０から第２縁部５１までのまたは第１縁部５０から第３縁部５２までの折り曲げ線を有する。
【００４５】
図１１および１２に示す第４の実施態様では蓋前壁フラップ３１は、第１および第２部分３１ａ、３１ｂの間に中間部分４７を形成するために第１の折り目４２に平行な第２の折り目４６を含む。この中間部分４７は、第２部分３１ｂを第１部分３１ａから隔てている。第２部分の前面および第１部分の前面は、蓋が開けられたときに消費者に露出し、情報または他の印を印刷するための表面を提供することができる。中間部分は蓋の内方の前面２４またはラベルのいずれかに接着されなくてもよい。
【００４６】
１つの実施態様は、角の折り曲げ線と第２の折り目４６の組み合わせを含む。ラベルは、角４３が折り曲げられた露出内面３８に接着され、蓋２が開けられてラベル９が同時に剥がされ、第２の折り目４６が中間部分４７がユーザーに示される。当然のことながらフラップは上記実施態様で説明した特徴のあらゆる組み合わせを含んでもよい。
【００４７】
１つ以上の開口部３７の外形、輪郭形成された縁部または凹部４０が折り曲げられた部分に合うように変更されたラベルを上述の実施態様のいずれに使用してもよい。ラベルのタブの外形は露出内面３８の領域内に完全にまたは部分的に位置するように構成される。タブが露出内面３８の領域内に完全にまたは部分的に位置する、即ちタブの形がフラップの外形に合うようになっている場合、フラップは蓋前壁の内面に対して平らになり、これにより確実に良好に接着される。
【００４８】
本発明の第５の実施態様では上述のようなパッケージが提供され、類似の特徴は同じ参照番号が付されている。図１３を参照するとラベル９がタブ２５として指定されたその最下方縁部に隣接する領域を有する。タブ２５の外面２９は蓋２の内面２４に永久的に接着することができる。
【００４９】
タブが蓋の内面に貼り付けられると、蓋前壁フラップ３１が実質的に１８０度折り曲げ線３３を中心に折り曲げられ、ラベルのタブ部分２５と少なくとも部分的に重なって蓋２４の内面に接着される。ラベルの少なくとも一部は蓋の内方の前面２４とフラップ３１の内面の間に挟まれる。
【００５０】
１つの実施態様ではラベル９とバリアー層４は同じラミネート材で作製される。図１６〜１６Ｂはこの実施態様の例を示している。ラミネート１０２は、外層１０３と内層１０４を有し、外層は第１の切れ目１０５を有し、これはそれによって境界が定められた外層領域１０８を画定し、内層は第２の切れ目１０６を有し、これはそれによって境界が定められた内層領域１１２を画定する。内層領域１１２は外層領域１０８内に位置する。蓋をその開いた位置に回転させた際に内外層領域が持ち上げられ、第１および第２の切れ目（１０５、１０６）とラミネートに製せられる開口部６の間の周辺領域１１５で内外層を剥離させる。
【００５１】
図１６Ｂは上述のようなしかしながら３層であるラミネート材のさらなる例を示している。図示の例では外層１０３と第３の層１２１は感圧性の「繰り返し接着可能な」接着剤を使用して接着され、内層１０４と第３の層１２１は永久接着剤を使用して接着されている。図１６Ｂの例と類似する別の例では 外層１０３と第３の層１２１は永久的に互いに接着され、内層１０４と第３の層１２１は感圧性接着剤を使用して互いに接着される。この場合、第１の切れ目１０５が外層１０３と第３の層１２１に設けられ、第２の切れ目１０６は内層１０４のみに設けられる。第１および第２の切れ目１０５、１０６は上述の通りオフセットしている。
【００５２】
当然のことながらラミネート材１０２は、上述と同じように互いに接着された４つ以上の層を有してもよく、第１および第２の切れ目１０５、１０６はそれぞれ１つ以上の層に設けられてもよい。上述のようなラベルとバリアーが一体の例を上述の実施態様のいずれかと組み合わせてもよい。
【００５３】
本明細書中で使用する「タバコ産業製品」なる用語は、紙巻きタバコ、シガリロ、シガー、パイプ用または手巻き紙巻きタバコ用タバコ（タバコ、タバコ派生物、膨張タバコ、再生タバコ、タバコ代替え品または他の喫煙材をベースにしているかに関係なく）などの燃焼性喫煙品、電子タバコなどの電子喫煙品、タバコ加熱製品などの燃焼させずに基材から化合物を放出する加熱装置および例えば液体または固体基材を含むハイブリッドシステムのような基材を組あわせたものからエアロゾルを発生させるハイブリッドシステムを含む喫煙品を包含すると理解されるべきである。
【００５４】
１つの実施態様では タバコ産業製品は紙巻きタバコ、シガリロおよびシガーからなる群から選択される燃焼喫煙品である。
【００５５】
１つの実施態様では タバコ産業製品は非燃焼性喫煙品である。
【００５６】
１つの実施態様では タバコ産業製品は基材を燃やさずに加熱することによって化合物を放出する加熱装置である。基材は、タバコまたはニコチンを含むまたは含まない非タバコ製品であってもよい。１つの実施態様では加熱装置はタバコ加熱装置である。
【００５７】
別の実施態様では タバコ産業製品は基材を組あわせたものを燃やさずに加熱することによってエアロゾル発生させるハイブリッドシステムである。基材は、例えば固体、液体またはゲルを含んでもよく、これらはニコチンを含んでも含まなくてもよい。１つの実施態様ではハイブリッドシステムは液体またはゲル基材と固体基材とを含んでもよい。固体基材は、例えばタバコまたはタバコまたはニコチンを含むまたは含まない非タバコ製品であってもよい。１つの実施態様ではハイブリッドシステムは液体またはゲル基材とタバコとを含んでもよい。
【００５８】
本発明の実施態様は、タバコ産業製品、例えば紙巻きタバコを参照して説明されている。しかしながら、当然のことながら本発明のパッケージはこれとは別に非タバコ産業関連製品に使用してもよい。
【００５９】
種々の問題の対処と技術の発展のため、本開示全体は種々の実施形態を例示的に示しており、これらの実施形態では特許請求された発明が実践され、優れたタバコ産業製品用パッケージを提供することができる。本開示の利点および特徴は実施形態の単なる代表的な具体例であり、包括的でも排他的でもない。これらは特許請求された特徴の理解と教示の単なる補助に提供されている。当然だが、本開示の利点、実施形態、具体例、機能、特徴、構造、および／または他の側面は本開示を特許請求の範囲に規定されたとおりに限定するあるいは特許請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は特許請求されていないが将来特許請求される可能性がある他の発明を含む。
【図１】
2021511267.tif 000003
【図２】
2021511267.tif 000004
【図３】
2021511267.tif 000005
【図４】
2021511267.tif 000006
【図５】
2021511267.tif 000007
【図６】
2021511267.tif 000008
【図７】
2021511267.tif 000009
【図８】
2021511267.tif 000010
【図９】
2021511267.tif 000011
【図１０】
2021511267.tif 000012
【図１１】
2021511267.tif 000013
【図１２】
2021511267.tif 000014
【図１３】
2021511267.tif 000015
【図１４】
2021511267.tif 000016
【図１５】
2021511267.tif 000017
【図１６Ａ】
2021511267.tif 000018
【図１６Ｂ】
2021511267.tif 000019
【国際調査報告】
2021511267.tif 000020
2021511267.tif 000021
2021511267.tif 000022
2021511267.tif 000023
2021511267.tif 000024